(57)【要約】  【課題】  ネジ節鉄筋が深く進入でき、かつ、ネジ節鉄筋との連結箇所の強度を高くできる。【解決手段】  ネジ節鉄筋継手は、筒状部材１０を備える。筒状部材１０が、雌ネジ３０を有する一端側雌ネジ部２０と、雌ネジ３２を有する他端側雌ネジ部２２とを有している。他端側雌ネジ部２２が有する雌ネジ３２は、一端側雌ネジ部２０が有する雌ネジ３０と同一の巻き方向で、同一条数で、同一の断面形状で、ピッチ円直径が同一で、同一ピッチで、かつ、ネジ位相が異なる。【選択図】      図１
2014020075.tif 000002
【特許請求の範囲】
【請求項１】
筒状部材を備えるネジ節鉄筋継手であって、
前記筒状部材が、
雌ネジを有する一端側雌ネジ部と、
前記一端側雌ネジ部が有する雌ネジと同一巻き方向で、前記一端側雌ネジ部が有する雌ネジと同一条数で、前記一端側雌ネジ部が有する雌ネジと同一断面形状で、前記一端側雌ネジ部が有する雌ネジとピッチ円直径が同一で、前記一端側雌ネジ部が有する雌ネジと同一ピッチで、かつ、前記一端側雌ネジ部とはネジ位相が異なる雌ネジを有する他端側雌ネジ部とを有していることを特徴とする異形鉄筋用継手。
【請求項２】
前記筒状部材が、前記一端側雌ネジ部及び前記他端側雌ネジ部の少なくとも一方に隣接するように配置され、前記一端側雌ネジ部の谷の径及び前記他端側雌ネジ部の谷の径以上の内径の大径部をさらに有することを特徴とする請求項１に記載の異形鉄筋用継手。
【請求項３】
前記一端側雌ネジ部の雌ネジのネジ山の断面形状が三角形であることを特徴とする請求項１に記載の異形鉄筋用継手。
【発明の詳細な説明】
【技術分野】
【０００１】
本発明はネジ節鉄筋継手に関するものである。
【背景技術】
【０００２】
特許文献１は、螺旋状のリブを持った異形鉄筋を開示する。特許文献１に開示された異形鉄筋の対はそのリブとかみ合う雌ネジが設けられた螺旋管の両端にそれぞれねじ込まれる。これによりそれらの異形鉄筋は接続される。
【先行技術文献】
【特許文献】
【０００３】
【特許文献１】特開昭４８−８４４２７号公報
【発明の概要】
【発明が解決しようとする課題】
【０００４】
特許文献１に開示された異形鉄筋には、そのリブとかみ合う雌ネジが設けられた螺旋管を準備しなければならないという問題点がある。異形鉄筋のリブによって形成される雄ネジのピッチが螺旋管に設けられた雌ネジのピッチと異なっていてもある程度は異形鉄筋と螺旋管とを連結できる。しかし、異形鉄筋が螺旋管に進入できる深さは、異形鉄筋のリブのピッチによって異なる。螺旋管が短ければ異形鉄筋は螺旋管に深く進入できる。深く進入できる代わりに、異形鉄筋と螺旋管との連結箇所の強度は低い。螺旋管が長ければ、異形鉄筋と螺旋管との連結箇所の強度は高くなる。連結箇所の強度は高くなるが、異形鉄筋が螺旋管に深く進入できなくなる。このことは、ネジ節鉄筋とそのネジ節鉄筋の対を接続するためのネジ節鉄筋継手との間についても言えることである。
【０００５】
本発明の目的は、ネジ節鉄筋が深く進入でき、かつ、ネジ節鉄筋との連結箇所の強度を高くできるネジ節鉄筋継手を提供することにある。
【課題を解決するための手段】
【０００６】
図面を参照して本発明のネジ節鉄筋継手を説明する。なお、この欄で図中の符号を使用したのは、発明の内容の理解を助けるためであって、内容を図示した範囲に限定する意図ではない。
【０００７】
上述した目的を達成するために、本発明のある局面に従うと、ネジ節鉄筋継手は、筒状部材１０を備える。筒状部材１０が、雌ネジ３０を有する一端側雌ネジ部２０と、雌ネジ３２を有する他端側雌ネジ部２２とを有している。他端側雌ネジ部２２が有する雌ネジ３２は、一端側雌ネジ部２０が有する雌ネジ３０と同一の巻き方向である。他端側雌ネジ部２２が有する雌ネジ３２は、一端側雌ネジ部２０が有する雌ネジ３０と同一条数である。他端側雌ネジ部２２が有する雌ネジ３２は、一端側雌ネジ部２０が有する雌ネジ３０と同一の断面形状である。他端側雌ネジ部２２が有する雌ネジ３２は、一端側雌ネジ部２０が有する雌ネジ３０とピッチ円直径が同一である。他端側雌ネジ部２２が有する雌ネジ３２は、一端側雌ネジ部２０が有する雌ネジ３０と同一ピッチである。他端側雌ネジ部２２が有する雌ネジ３２は、一端側雌ネジ部２０が有する雌ネジ３０とはネジ位相が異なる。
【０００８】
一端側雌ネジ部２０が有する雌ネジ３０及び他端側雌ネジ部２２が有する雌ネジ３２と同一巻き方向で、それらの雌ネジ３０，３２と同一条数で、それらの雌ネジ３０，３２とピッチ円直径が同一の雄ネジ６０は、それらの雌ネジ３０，３２とかみ合うことができる。これらの要件を満たす雄ネジ６０が雌ネジ３０，３２の中に進入できる深さは、雄ネジ６０のピッチによって異なる。雌ネジ３０，３２と雄ネジ６０とが干渉しあう位置が異なるためである。他端側雌ネジ部２２が有する雌ネジ３２と一端側雌ネジ部２０が有する雌ネジ３０とのネジ位相が異なっていることにより、筒状部材１０の一端から他端までネジ位相が同一の場合ならば生じたはずの雄ネジ６０との干渉を回避することができる。干渉を回避できるので、筒状部材１０の中へ雄ネジ６０を深くネジ込むことができる。雄ネジ６０を深くネジ込むことができるので、本発明にかかるネジ節鉄筋継手は、そのような雄ネジ６０を有するネジ節鉄筋との連結箇所の強度を高くできる。
【０００９】
また、上述した筒状部材１０が大径部２４をさらに有することが望ましい。大径部２４は、一端側雌ネジ部２０及び他端側雌ネジ部２２の少なくとも一方に隣接するように配置される。大径部２４は、一端側雌ネジ部２０の谷の径及び他端側雌ネジ部２２の谷の径以上の内径である。
【００１０】
一端側雌ネジ部２０の谷の径及び他端側雌ネジ部２２の谷の径以上の内径なので、大径部２４とネジ節鉄筋の雄ネジ６０との干渉を回避できる。大径部２４が一端側雌ネジ部２０及び他端側雌ネジ部２２の少なくとも一方に隣接するように配置されることで、一端側雌ネジ部２０及び他端側雌ネジ部２２の少なくとも一方に隣接する空間が狭くなることは回避される。そのようなことが回避されるので、その空間より深く筒状部材１０内に雄ネジ６０をネジ込めないという事態も回避される。その事態が回避できるので、ネジ節鉄筋継手の設計が容易になる。
【００１１】
また、上述した一端側雌ネジ部２０の雌ネジ３０のネジ山３６の断面形状が三角形であることが望ましい。この「三角形」にはネジ山３６の頂の断面形状が円弧形であるものも含まれる。
【発明の効果】
【００１２】
本発明によれば、ネジ節鉄筋が深く進入でき、かつ、ネジ節鉄筋との連結箇所の強度を高くできる。
【図面の簡単な説明】
【００１３】
【図１】本発明の一実施形態にかかるネジ節鉄筋継手の断面図である。
【図２】本発明の一実施形態にかかる他端側雌ネジ部の雌ネジと一端側雌ネジ部の雌ネジとのネジ位相の相違を説明するための概念図である。
【図３】本発明の一実施形態にかかるネジ節鉄筋継手をネジ節鉄筋が貫通している状況を示す断面図である。
【発明を実施するための形態】
【００１４】
以下、図面を参照しつつ、本発明の実施形態について説明する。以下の説明では、同一の部品には同一の符号を付してある。それらの名称及び機能も同一である。従って、それらについての詳細な説明は繰返さない。
【００１５】
［ネジ節鉄筋継手の構成］
図１は、本実施形態にかかるネジ節鉄筋継手の断面図である。図１を参照しつつ、本実施形態にかかるネジ節鉄筋継手の構成について説明する。
【００１６】
［ネジ節鉄筋継手の構成］
本実施形態にかかるネジ節鉄筋継手は、ネジ節鉄筋同士を連結した上で、コンクリートに埋め込まれる。本実施形態にかかるネジ節鉄筋継手は、筒状部材１０を備える。本実施形態にかかる筒状部材１０は、鋳造により一体成形された鋳鉄製の部材である。
【００１７】
筒状部材１０の形状は円筒状である。筒状部材１０は、一端側雌ネジ部２０と、他端側雌ネジ部２２と、大径部２４とを有する。一端側雌ネジ部２０は筒状部材１０の一端に配置される。他端側雌ネジ部２２は筒状部材１０の他端に配置される。大径部２４は一端側雌ネジ部２０と他端側雌ネジ部２２との間に配置される。従って、大径部２４は、一端側雌ネジ部２０及び他端側雌ネジ部２２の双方に隣接する。
【００１８】
一端側雌ネジ部２０は雌ネジ３０を有する。本実施形態の場合、この雌ネジ３０のネジ山３６の断面形状は三角形である。本実施形態の場合、この雌ネジ３０の巻き方向は右巻きである。本実施形態の場合、この雌ネジ３０の条数（１ピッチの間に設けられているネジ山の数）は１条である。この雌ネジ３０のピッチは、この雌ネジ３０にかみ合わせようとする雄ネジ６０のピッチに基づいて設定されることが好ましい。例えば、ピッチが１４ミリメートルの雄ネジ６０と、ピッチが１６ミリメートルの雄ネジ６０と、ピッチが１８ミリメートルの雄ネジ６０とを雌ネジ３０にかみ合わせようとする場合、雌ネジ３０のピッチは１６ミリメートルであることが好ましい。雄ネジ６０のピッチの最大値と最小値との平均が１６ミリメートルであるからである。
【００１９】
他端側雌ネジ部２２は雌ネジ３２を有する。本実施形態の場合、この雌ネジ３２のネジ山３８の断面形状も三角形である。すなわち、この雌ネジ３２のネジ山３８の断面形状は、一端側雌ネジ部２０が有する雌ネジ３０のネジ山３６の断面形状と同一である。他端側雌ネジ部２２が有する雌ネジ３２は、一端側雌ネジ部２０が有する雌ネジ３０と同一の巻き方向（右巻き）である。他端側雌ネジ部２２が有する雌ネジ３２は、一端側雌ネジ部２０が有する雌ネジ３０と同一条数（１条）である。他端側雌ネジ部２２が有する雌ネジ３２は、一端側雌ネジ部２０が有する雌ネジ３０とピッチ円直径が同一である。他端側雌ネジ部２２が有する雌ネジ３２は、一端側雌ネジ部２０が有する雌ネジ３０と同一ピッチである。他端側雌ネジ部２２が有する雌ネジ３２は、一端側雌ネジ部２０が有する雌ネジ３０とはネジ位相が異なる。
【００２０】
図２は、他端側雌ネジ部２２が有する雌ネジ３２と一端側雌ネジ部２０が有する雌ネジ３０とのネジ位相の相違を説明するための概念図である。図２に基づき、他端側雌ネジ部２２が有する雌ネジ３２と一端側雌ネジ部２０が有する雌ネジ３０とのネジ位相が異なることについて説明する。本発明において、筒状部材１０の中心軸４０方向に離れた複数の雌ネジがあり、かつ、それらの雌ネジの間に次に述べる関係がある場合、それらの雌ネジのネジ位相は同一である。その関係とは、中心軸４０方向にピッチの整数倍離れた複数の箇所（これらの箇所は互いに異なる雌ネジ部内に位置する）において、中心軸４０から見た雌ネジのネジ山の頂が同一方向にあるという関係である。この関係がない場合、それらの雌ネジのネジ位相は異なる。本実施形態にかかる他端側雌ネジ部２２と一端側雌ネジ部２０とにおいて、一端側雌ネジ部２０の雌ネジ３０のネジ山３６の頂５０と他端側雌ネジ部２２の雌ネジ３２のネジ山３８の頂５２との中心軸４０方向の間隔は、ピッチの整数倍である。図２に示されているように、中心軸４０から見た雌ネジ３０のネジ山３６の頂５０の方向と中心軸４０から見た雌ネジ３２のネジ山３８の頂５２の方向とは、まったく異なる。従って、上述したとおり、他端側雌ネジ部２２が有する雌ネジ３２は、一端側雌ネジ部２０が有する雌ネジ３０とはネジ位相が異なる。本実施形態の場合、次に述べる箇所同士が、中心軸４０から見た雌ネジのネジ山の頂が同一方向という関係にある。それらの箇所とは、一端側雌ネジ部２０の任意の箇所とその箇所からピッチの整数倍＋ピッチの２分の１倍離れた位置にある他端側雌ネジ部２２内の箇所とである。本発明では、これらの箇所同士が中心軸４０から見たネジ山の頂が同一方向という関係にあることが「ピッチの２分の１倍」の移送差であると定義される。
【００２１】
大径部２４は、平坦な内周面を有する。本実施形態の場合、その平坦な内周面の内径は、雌ネジ３０の谷の径及び雌ネジ３２の谷の径と同一である。図１に示されているように、大径部２４はモルタル注入口３４を有する。モルタル注入口３４は筒状部材１０の外側と内側とを連通させる。このモルタル注入口３４を通過してモルタルは筒状部材１０の中に入る。
【００２２】
［ネジ節鉄筋の接続手順］
本実施形態にかかるネジ節鉄筋継手の使用方法の一例を説明する。まず、作業者は、１本のネジ節鉄筋の両端の雄ネジ６０に、本実施形態にかかるネジ節鉄筋継手をねじ込む。その際、作業者は、本実施形態にかかるネジ節鉄筋継手をネジ節鉄筋に貫通させる。図３は、ネジ節鉄筋の雄ネジ６０が貫通した状態での本実施形態にかかるネジ節鉄筋継手の断面図である。本実施形態にかかるネジ節鉄筋継手をネジ節鉄筋が貫通すると、作業者は、そのネジ節鉄筋の端に他のネジ節鉄筋の端を対向させる。ネジ節鉄筋の端同士が対向すると、作業者は、本実施形態にかかるネジ節鉄筋継手をその中心軸４０が中心とするよう回転させる。これにより、本実施形態にかかるネジ節鉄筋継手は、端同士が対向するネジ節鉄筋の一方に加え他方にもねじ込まれることとなる。端同士が対向するネジ節鉄筋の双方に本実施形態にかかるネジ節鉄筋継手がねじ込まれると、作業者は、モルタル注入口３４からモルタルを注入する。これにより、端同士が対向するネジ節鉄筋の対と本実施形態にかかるネジ節鉄筋継手とは一体化する。
【００２３】
［本実施形態にかかる効果の説明］
他端側雌ネジ部２２が有する雌ネジ３２と一端側雌ネジ部２０が有する雌ネジ３０とのネジ位相が異なっていることにより、筒状部材１０の一端から他端までネジ位相が同一の場合ならば生じたはずの雄ネジ６０との干渉を回避することができる。干渉を回避できるので、筒状部材１０の中へ雄ネジ６０を深くネジ込むことができる。雄ネジ６０を深くネジ込むことができるので、ネジ節鉄筋との連結箇所の強度が高くなる。
【００２４】
大径部２４の内径が一端側雌ネジ部２０の谷の径及び他端側雌ネジ部２２の谷の径以上の内径なので、大径部２４とネジ節鉄筋の雄ネジ６０との干渉を回避できる。大径部２４が一端側雌ネジ部２０と他端側雌ネジ部２２との間に配置されることで、一端側雌ネジ部２０と他端側雌ネジ部２２との間の空間が狭くなることが回避される。その空間が狭くなることが回避されるので、そこより深く筒状部材１０内に雄ネジ６０をネジ込めないという事態も回避される。その事態が回避できるので、ネジ節鉄筋継手の設計が容易になる。
【００２５】
［変形例］
今回開示された実施形態はすべての点で例示である。本発明の範囲は上述した実施形態に基づいて制限されるものではない。上述した実施形態に対して本発明の趣旨を逸脱しない範囲で種々の設計変更をしてもよいのはもちろんである。
【００２６】
例えば、本発明にかかるネジ節鉄筋継手の素材は鋳鉄に限定されない。本発明にかかるネジ節鉄筋継手の素材の例には、アルミ合金、マグネシウム合金がある。また、本発明にかかるネジ節鉄筋継手の製造方法は鋳造に限定されない。本発明にかかるネジ節鉄筋継手の製造方法の例には、焼結がある。
【００２７】
また、本発明にかかるネジ節鉄筋継手は、一端側雌ネジ部２０と他端側雌ネジ部２２との間に、少なくとも１つの雌ネジ部を有していてもよい。その雌ネジ部と一端側雌ネジ部２０との間、その雌ネジ部と他端側雌ネジ部２２との間、及び、その雌ネジ部同士の間に配置される複数の大径部２４を本発明にかかるネジ節鉄筋継手は有していてもよい。上述した大径部２４は設けられていなくてもよい。この場合、一端側雌ネジ部２０の一端は他端側雌ネジ部２２の一端に直接つながっている。
【符号の説明】
【００２８】
１０      ：筒状部材
２０      ：一端側雌ネジ部
２２      ：他端側雌ネジ部
２４      ：大径部
３０，３２：雌ネジ
３４      ：モルタル注入口
３６，３８：ネジ山
４０      ：中心軸
６０      ：雄ネジ
【図１】
2014020075.tif 000003
【図２】
2014020075.tif 000004
【図３】
2014020075.tif 000005